【手続補正書】
【提出日】平成26年12月15日(2014.12.15)
【手続補正１】
【補正対象書類名】特許請求の範囲
【補正対象項目名】全文
【補正方法】変更
【補正の内容】
【特許請求の範囲】
【請求項１】
上基板と下基板、及び該上基板と下基板の間に配置される中基板を有し、これら基板間に輪列や回路基板、モーターが組み込まれる構造をなし、このうち前記回路基板は、ボビンにコイル線を巻き回した前記モーターのコイルが配置された状態で前記下基板に位置決めされ、その後に前記モーターのステーターに一体化して設けられたコイル芯が前記ボビンの中心穴に挿入されて前記ステーターとともに下基板に固定される時計ムーブメントの組み立て構造であって、下ケースとしての前記下基板には、上ケースとしての前記上基板と合わさる側面が形成されるとともに前記ステーターを保持固定するための穴付きガイドピンが形成され、前記側面の上端及び前記穴付きガイドピンの上面は、前記中心穴への前記ステーターの、前記穴付きガイドピンに垂直な方向からの挿入を可能にし、且つ、前記上面に形成された有底穴への固定ピンの、当該上面に垂直な方向からの係合による保持固定を可能にするために、該ステーターの下面より下方に位置するようにしてなることを特徴とする時計ムーブメントの組み立て構造。
【請求項２】
前記回路基板の、前記下基板への保持固定のための位置決めは、前記穴付きガイドピンの下方の適宜位置に断面略Ｄ字状のアンダーカット部を設けるとともに、前記穴付きガイドピンに対応して前記回路基板に断面略Ｄ字状中空の位置決め穴を設け、前記穴付きガイドピンに前記位置決め穴を嵌め込んでから前記回路基板を、該回路基板のための正、負の電極端子の付勢力に抗して押し下げて前記穴付きガイドピンに垂直な方向にスライドさせたときに、前記アンダーカット部に前記位置決め穴を潜りこませて前記アンダーカット部のＤ字状断面の直線部分に前記位置決め穴のＤ字状断面の直線部分を当接させるとともに前記付勢力を復活させるようにしてなることを特徴とする請求項１に記載の時計ムーブメントの組み立て構造。
【請求項３】
前記穴付きガイドピンの有底穴に前記中基板の前記固定ピンが係合して前記ステーターが保持固定されたとき、前記中基板に形成された中空穴に前記下基板の中基板組み込みピンが嵌り込み、また、前記中基板に形成された段付きピンが前記回路基板の回路基板固定用穴に嵌り込んで前記下基板に前記ステーターや回路基板、中基板が同時に位置決め固定されることを特徴とする請求項１又は請求項２に記載の時計ムーブメントの組み立て構造。
【請求項４】
前記下基板にはフック係合部が形成され、該フック係合部に、前記回路基板の前記スライドにより当該回路基板に設けられたフック部が係合したときに、前記直線部分同士の当接による接触音が発せられて、前記回路基板の、前記下基板への位置決めの確認がなされるようにしたことを特徴とする請求項２又は３に記載の時計ムーブメントの組み立て構造。
【請求項５】
前記下基板の側面の上端が前記ステーターの下面より下方に位置していない場合には、前記側面に、前記ステーターの挿入を可能にするための切り欠き部、又は切り欠き段部が形成されていることを特徴とする請求項１〜３いずれか１項に記載の時計ムーブメントの組み立て構造。
【手続補正２】
【補正対象書類名】明細書
【補正対象項目名】発明の名称
【補正方法】変更
【補正の内容】
【発明の名称】時計ムーブメントの組み立て構造
【手続補正３】
【補正対象書類名】明細書
【補正対象項目名】０００１
【補正方法】変更
【補正の内容】
【０００１】
本発明は、時計ムーブメントの組み立て構造に関するもので、特に１ラインでの組み立てが可能な時計用ムーブメントの組み立て構造に関するものである。
【手続補正４】
【補正対象書類名】明細書
【補正対象項目名】００１１
【補正方法】変更
【補正の内容】
【００１１】
本発明の請求項１に係る時計ムーブメントの組み立て構造は、上基板と下基板、及び該上基板と下基板の間に配置される中基板を有し、これら基板間に輪列や回路基板、モーターが組み込まれる構造をなし、このうち前記回路基板は、ボビンにコイル線を巻き回した前記モーターのコイルが配置された状態で前記下基板に位置決めされ、その後に前記モーターのステーターに一体化して設けられたコイル芯が前記ボビンの中心穴に挿入されて前記ステーターとともに下基板に固定される時計ムーブメントの組み立て構造であって、下ケースとしての前記下基板には、上ケースとしての前記上基板と合わさる側面が形成されるとともに前記ステーターを保持固定するための穴付きガイドピンが形成され、前記側面の上端及び前記穴付きガイドピンの上面は、前記中心穴への前記ステーターの、前記穴付きガイドピンに垂直な方向からの挿入を可能にし、且つ、前記上面に形成された有底穴への固定ピンの、当該上面に垂直な方向からの係合による保持固定を可能にするために、該ステーターの下面より下方に位置するようにしてなるものであり、ステーター保持固定するための有底穴を備えた穴付きガイドピンの上面をステーター下面よりも下方に位置させるなどして、ステーターの組み込み時に何らじゃまをするものが無いようにステーターの組み込み構造を改良することにより、コストダウンの要求に応えようとするものである。
【手続補正５】
【補正対象書類名】明細書
【補正対象項目名】００１２
【補正方法】変更
【補正の内容】
【００１２】
また、本発明の請求項２に係る時計ムーブメントの組み立て構造においては、前記回路基板の、前記下基板への保持固定のための位置決めは、前記穴付きガイドピンの下方の適宜位置に断面略Ｄ字状のアンダーカット部を設けるとともに、前記穴付きガイドピンに対応して前記回路基板に断面略Ｄ字状中空の位置決め穴を設け、前記穴付きガイドピンに前記位置決め穴を嵌め込んでから前記回路基板を、該回路基板のための正、負の電極端子の付勢力に抗して押し下げて前記穴付きガイドピンに垂直な方向にスライドさせたときに、前記アンダーカット部に前記位置決め穴を潜りこませて前記アンダーカット部のＤ字状断面の直線部分に前記位置決め穴のＤ字状断面の直線部分を当接させるとともに前記付勢力を復活させるようにしたものであり、回路基板の、下基板への保持固定のための位置決め、即ち、回路基板単体での正規の位置への組み込みを可能とすることにより、よりいっそうのコストダウン要求に応えようとするものである。ここで付言しておくと、両直線部分が当接したとき、上記押し下げを解除すると、上記付勢力が復活して回路基板は浮いた状態とはならないことはもちろんである。
【手続補正６】
【補正対象書類名】明細書
【補正対象項目名】００１３
【補正方法】変更
【補正の内容】
【００１３】
また、本発明の請求項３に係る時計ムーブメントの組み立て構造は、前記穴付きガイドピンの有底穴に前記中基板の前記固定ピンが係合して前記ステーターが保持固定されたとき、前記中基板に形成された中空穴に前記下基板の中基板組み込みピンが嵌り込み、また、前記中基板に形成された段付きピンが前記回路基板の回路基板固定用穴に嵌り込んで前記下基板に前記ステーターや回路基板、中基板が同時に位置決め固定されるようにしたものであり、組み込み時間の短縮化を図ってより一層のコストダウンの要求に応えようとするものである。
【手続補正７】
【補正対象書類名】明細書
【補正対象項目名】００１４
【補正方法】変更
【補正の内容】
【００１４】
また、本発明の請求項４に係る時計ムーブメントの組み立て構造は、前記下基板にはフック係合部が形成され、該フック係合部に、前記回路基板の前記スライドにより当該回路基板に設けられたフック部が係合したときに、前記直線部分同士の当接による接触音が発せられて、前記回路基板の、前記下基板への位置決めの確認がなされるようにしたものであり、ライン検査の簡便化を図って一層のコストダウンの要求に応えようとするものである。
【手続補正８】
【補正対象書類名】明細書
【補正対象項目名】００１５
【補正方法】変更
【補正の内容】
【００１５】
また、本発明の請求項５に係る時計ムーブメントの組み立て構造は、前記下基板の側面の上端が前記ステーターの下面より下方に位置していない場合には、前記側面に、前記ステーターの挿入を可能にするための切り欠き部、又は切り欠き段部が形成されるようにしたものであり、上述した請求項１における下基板の側面形状とは異なる形状の側面が形成されている場合であっても、ステーターの組み込み時に何ら邪魔をするものが無いようにステーターの組み込み構造を改良することにより、コストダウンの要求に応えようとするものである。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００２０
【補正方法】変更
【補正の内容】
【００２０】
また、本発明の時計ムーブメントの組み立て方法は、（１）の前記回路基板を組み込む前に、電池正極バネと電池負極バネを前記下基板の定位置にセットする工程を有し、前記回路基板は前記電池正極バネと前記電池負極バネのバネ圧に抗しながら押し下げつつ横方向にスライドさせることによって前記アンダーカット部に係合させて組み込む工程を有することを特徴とする。
【手続補正１３】
【補正対象書類名】明細書
【補正対象項目名】００２１
【補正方法】変更
【補正の内容】
【００２１】
また、本発明の時計ムーブメントの組み立て方法は、（２）の工程において、前記ステーターは、横方向にスライドさせて前記コイル芯を前記コイルボビンの中心穴に挿入し、前記ステーター体と前記コイル芯のつなぎ部分に設けた停止面が前記コイルボビンに当接することによって、前記ステーターが前記穴付きガイドピンの上面に載置された時の位置決めとなって組み込まれることを特徴とする。
【手続補正１４】
【補正対象書類名】明細書
【補正対象項目名】００２２
【補正方法】変更
【補正の内容】
【００２２】
また、本発明の時計ムーブメントの組み立て方法は、（２）の工程後に、前記中基板を組み込んだ時、前記中基板に形成されている固定ピンが前記穴付きガイドピンの有底穴に係合することによって、前記ステーターが位置決め固定されることを特徴とする。
【手続補正１５】
【補正対象書類名】明細書
【補正対象項目名】００２３
【補正方法】変更
【補正の内容】
【００２３】
また、本発明の時計ムーブメントの組み立て方法は、（３）の工程において、前記下基板はケースを兼用するものであって、該下基板の側面には前記コイルボビンの対向部に前記ステーターを組み込み可能な切り欠き部が形成されており、前記ステーターは前記切り欠き部を介して前記コイルボビンの中心穴に横方向から組み込まれることを特徴とする。
【手続補正１６】
【補正対象書類名】明細書
【補正対象項目名】００２４
【補正方法】変更
【補正の内容】
【００２４】
また、本発明の時計ムーブメントの組み立て方法は、（４）の工程の後に、前記上基板は、前記下基板の切り欠き部を塞ぎつつ前記下基板に組み込むことを特徴とする。
【手続補正１７】
【補正対象書類名】明細書
【補正対象項目名】００５１
【補正方法】変更
【補正の内容】
【００５１】
１ 下板
１ｄ アンダーカット部
１ｆ 切り欠き部
２ａ 指針輪列
２ｂ 伝達輪列
２ｂａ ローター
３ａ 正極バネ
３ｂ 負極バネ
４ 回路基板
４ａ フック部
５ コイル
５ａ コイルボビン
５ｂ コイル線
５ｄ 中心穴
６ ステーター
６ａ コイル芯
６ｂ ステーター体
６ｆ 停止面
７ 中板
８ 上板
８ｂ 覆い部
Ｇ１、Ｇ２、ＳＧ１、ＳＧ２ 穴付きガイドピン
Ｇ１ａ、Ｇ２ａ、ＳＧ１ａ、ＳＧ２ａ 有底穴
Ｇ１７、Ｇ２７、ＳＧ１７、ＳＧ２７ 固定ピン
Ｇ４１、Ｇ４２、ＳＧ４１、ＳＧ４２ 回路基板に形成の位置決め穴
Ｇ６１、Ｇ６２、ＳＧ６１、ＳＧ６２ ステーターに形成の係合穴